(57)【要約】　　　（修正有）【課題】液化石油ガス用の縦型貯槽等に用いられ、取付作業が簡単で、確実に固定でき、変形等による故障や誤差の少ない被面計取付装置を提供する。【解決手段】長尺な液面計５０において、表示部１９に磁力を介して連動するマグネット２３を設けた軸承部２２を回転可能に装着した連結筒部２０を、取付基板５に回転可能に収容して固定し、前記連結筒部に取付けた上部ホルダー２４と下部ホルダーとの間にガイド杆２５を平行に取付けて該下部ホルダーの下端に押圧固定用のスプリングを装着する。前記連結筒部に上部を回転可能に軸承させて捻りシャフト３２を設け、前記ガイド杆と係合するガイド溝を壁面両側に上下方向に設けて上下動するフロートに設けたフロートガイドにより捻りシャフトを回転させて液位を表示する。【選択図】　図２
2004132502.tif 000002
【特許請求の範囲】
【請求項１】
回転可能に支持した捻りシャフトと、タンク内の液面の変位に応じて上下動するフロートと、このフロートに連動した前記捻りシャフトの回転により液面位置を示す表示部を設けた取付基板をタンクの取付開口部に取付ける液面計において、
前記表示部の指針に磁力を介して連動するマグネットを上端に設けた軸承部を回転可能に装着してなる連結筒部を、前記取付基板の下面に設けた収容部内に回転可能に収容して固定し、
前記連結筒部を有する上部ホルダーと下部ホルダーとの間に、前記タンクの全長と略同長に形成した一対のガイド杆を平行に取付けて該下部ホルダーの下端に押圧固定用のスプリングを装着し、
前記連結筒部に上部を回転可能に軸承させて下部を前記下部ホルダーの内部に収容して捻りシャフトを設け、
前記スプリングの下端を前記タンクの内底面に押圧圧着させて取付基板を前記取付開口部に取付けると共に、前記ガイド杆と係合するガイド溝を壁面両側に上下方向に設けて液位に応じて上下動するフロートの円孔に取付けた案内孔を有するフロートガイドにより前記捻りシャフトを回転させてタンク内の液面を表示することを特徴とする液面計取付装置。
【請求項２】
前記ガイド杆は、両側にそれぞれ掛止受部を有して前記連結筒部を有する上部ホルダーと、該上部ホルダーと同形で同じく両側にそれぞれ掛止受部を設けた下部ホルダーとの間に、アングル材のガイド部を向かい合わせに配して対をなすガイド杆を連結固定し、該ガイド部をフロートのガイド溝に上下動可能に係合させてなることを特徴とする請求項１記載の液面計取付装置。
【請求項３】
前記捻りシャフトは、その上部を前記上部ホルダーに回転可能に軸承させた軸承部に止め具で取外可能に取付け、その下部は前記下部ホルダーの内部に設けた孔部内に収容してなることを特徴とする請求項１又は２記載の液面計取付装置。
【発明の詳細な説明】
【０００１】
【発明の属する技術分野】
本発明は液化石油ガス（ＬＰＧ）を内部に充填する縦型をした貯槽用の液面計取付装置に関する。
【０００２】
【従来の技術】
高圧ガス保安法、液石法のバルク貯槽にかかる法規制が改正され、これによりバルク貯槽（以下、タンクという）への軒先充填が可能となった。そのため、液化石油ガスを充填するＬＰＧ用の縦型をしたタンクに設けた液取入弁（図示せず）に、ＬＰＧを輸送するタンクローリー車（バルクローリー車）のホースを連結してＬＰＧの充填を手軽に行っている。
【０００３】
タンク内にＬＰＧを充填する場合、ＬＰＧの充填が過充填にならないよう当該貯槽内に充填できる空間がどのくらい残っているかを確認するため、例えば、夏季などの大気温度の上昇によるＬＰＧの体積膨張分を見込んで、タンク内に約１０〜２０％位の空間を残して該ＬＰＧを充填する必要がある。そのため、充填前及び充填中は常にタンク内の液位を計測または検出して確認する必要があり、液面計が正確に作動するようにしてある。
【０００４】
しかしながら、ＬＰＧ用の縦型をしたタンクに液面計を取付ける場合、該タンクの上部に設けた取付開口部に、液面計の上部は容易に取付けることができる。しかし、長尺な液面計の上部を取付けたタンクを輸送する場合、輸送中に外部から加わる振動や衝撃などによって該液面計が揺れて傾斜したり、変形したりして故障し、液位表示に誤差が生じるという欠点があった。
【０００５】
液面計の下部をタンクの内底面に固定させる場合、従来はタンク内底面の所定個所にガイド部などを設け、該ガイド部に液面計の下部に形成した係合固定部などを係合させて固定しているが、長尺な液面計の下部を係合固定部に係合させる場合、液面計が長いために作業性が悪かった。（例えば、特許文献１参照。）。
【０００６】
【特許文献】
特開２００２‐２４２００２号（第５〜８頁、第１、３、６図）
【０００７】
【発明が解決しようとする課題】
ＬＰＧを収容するタンクは１ｍ以上の長さをしているものがあり、前記タンクの上部に設けた取付開口部から液面計を収容し、該液面計の下部に設けた係合部をタンクの内底面に設けたガイド部に係合固定させる作業は、作業員の熟練を必要とするため液面計の取付作業は極めて困難で、且つ、故障が生じやすい上に作業性が悪いという問題点を有していた。
【０００８】
液面の変位に応じて上下動するフロートをガイドするガイド棒は、パイプ構造であってしかも１本で構成してあるため捩れやすくて強度が弱いため、液面計を取付けたタンクの輸送中に外部から加わる振動や衝撃などによりガイド棒が捩れたり、折れ曲がったりするなどの変形が生じ、フロートが上下方向に正確に作動しなくなる等の故障が生じ、液面表示に誤差が出るという問題点を有していた。
【０００９】
本発明は、長尺な液面計の下部にスプリングを装着し、タンクの内底面に該スプリングを押圧圧着して固定する液面計を提供することを目的とする。
【００１０】
【課題を解決するための手段】
この課題を解決するために、本発明は、回転可能に支持した捻りシャフトと、タンク内の液面の変位に応じて上下動するフロートと、このフロートに連動して前記捻りシャフトを回転させて液面位置を示す表示部を設けた取付基板をタンクの取付開口部に取付ける液面計において、前記表示部の指針に磁力を介して連動するマグネットを上端に設けた軸承部を回転可能に装着してなる連結筒部を、前記取付基板の下面に設けた収容部内に周方向に回転可能に収容して固定し、前記連結筒部を有する上部ホルダーと下部ホルダーとの間に、前記タンクの全長と略同長に形成した一対のガイド杆を平行に取付けて該下部ホルダーの下端に押圧固定用のスプリングを装着し、前記連結筒部に上部を回転可能に軸承させて下部を前記下部ホルダーの内部に収容させて捻りシャフトを設け、前記スプリングの下端を前記タンクの内底面に押圧圧着させて取付基板を前記取付開口部に取付け、前記ガイド杆と係合するガイド溝を壁面両側に上下方向に設けて液位に応じて上下動するフロートの円孔に取付けた案内孔を有するフロートガイドにより前記捻りシャフトを回転させてタンク内の液面を表示することを特徴とする。
【００１１】
また前記ガイド杆は、両側にそれぞれ掛止受部を有して前記連結筒部を有する上部ホルダーと、該上部ホルダーと同形で同じく両側にそれぞれ掛止受部を設けた下部ホルダーとの間に、アングル材のガイド部を向かい合わせに配して対をなすガイド杆を連結固定し、該ガイド部をフロートのガイド溝に係合させてある。さらに、前記捻りシャフトは、その上部を上部ホルダーに回転可能に軸承させた軸承部に止め具で取外可能に取付け、その下部は前記下部ホルダーの内部に設けた孔部内に収容してある。
【００１２】
そのため、長尺な液面計の上部の取付基板はタンクの取付開口部に、また、液面計の下部に設けたスプリングはタンクの内底面に押圧圧着させて固定するので、タンクの輸送中に液面計の揺れを防止して故障を防止できる。またガイド杆はアングル材で且つ２本で対をなして平行に連結して強度を有するため、輸送中に外部から加わる外力によって該ガイド杆が捩れたり変形したりすることがないのでフロートはスムーズに上下動できる。その上、捩りシャフトの上部は止め具で軸承部に取外可能に取付けてあるので、経年変化などにより摩耗又は変形した場合は簡単に交換できる。さらにまた、取付基板の収容部に回転可能に連結筒部を収容し、ボルトで固定してあるので該ボルトを弛めれば連結筒部を回転させて周方向の位置を調整することができる利点がある。
【００１３】
【発明の実施の形態】
以下、本発明の実施の形態を図面に基づいて説明すると、図１は液面計をタンクに装着させた状態を示す断面図、図２はタンクの取付開口部に取付けた液面計の上部を示す一部拡大断面図、図３は液面計の表示部を示す平面図、図４は図２のＡ−Ａ線方向断面図、図５は液面計の下部を示す一部拡大正面図、図６は図５のＢ−Ｂ線方向断面図、図７はフロートガイドを装着したフロートの縦断面図、図８は図７のＣ矢視方向の案内孔とガイド杆との係合関係を示す説明図、図９は図７のＤ−Ｄ線方向断面図である。
【００１４】
図１において、縦型をしたタンク１の上面中心部に設けた取付開口部２には、ボルトなどで装着させる液面計５０の上面に液位を表示する表示部１９を具えた取付基板５に連結筒部２０を有する上部ホルダー２４を取付け、該上部ホルダーと下面にスプリング２９などの弾発部材を装着させた下部ホルダー２４ａとを、対をなす２本のガイド杆２５、２５および捻りシャフト３２および該捻りシャフトに係合し、且つ、該ガイド杆に案内されながら上下動するフロート３５とで構成してある。捻りシャフト３２は、液面の変位に応じて上下動するフロート３５により回転させられて表示部１９内の指針を回動させる。
【００１５】
図２において、長尺な液面計５０を構成する取付基板５は、その周縁部分に設けた複数の取付穴６にボルト（図示せず）を挿通して前記タンク１の取付開口部２に固着し、該取付基板の中央下部には下方から円形の収容室７を設け、該収容室の上方に仕切壁７ａを介して凹入部８を該取付基板の表面に形成してある。
【００１６】
取付基板５の上面に設けた凹入部８内に樹立させた軸杆９には、磁性材からなる回転体１０を回転可能に装着し、該回転体の上面中央に樹立させた支持軸１１に指針１６を軸着させ、さらに前記凹入部８の周囲部分にオーリングを介して目盛板１２および少なくとも上面を透明に形成したゲージボディ１３の周縁部分を密封する密封部材１４をボルト１５で該取付基板５に固着し、タンク内の液面を表示する表示部１９を設けてある。
【００１７】
取付基板５に設けた円形の収容室７の側面にはボルト孔１７を水平方向に貫通して設け、該ボルト孔にボルト１８を螺合してある。該収容室７内に収容させる連結筒部２０の上部周面に凹溝７ａを設けてあるので、ボルト１８を弛めることにより該連結筒部２０は周方向に回転できる。またこの連結筒部を周方向に回転することにより、前記表示部の目盛板１２に合わせて連結筒部２０に取付けた後記する上部ホルダー及び下部ホルダーに連結したガイド杆に案内されて上下動するフロートの位置を調整してボルトを締め付けて固定する。
【００１８】
取付基板の前記収容室７内に下方から回転可能に収容する連結筒部２０の中心部には、上下方向に設けた取付孔２１に軸承部２２を回転可能に軸承し、該軸承部２２の上端には前記仕切壁７ａに接近させてマグネット２３を軸承してある。また、連結筒部２０の下部に設けた上部ホルダー２４の両側に、掛止受部２６、２６を設けてあり、該掛止受部にＬ型をしたアルミ合金などのアングル材からなる２本のガイド杆２５、２５の上部をボルトなどで固定してある。
【００１９】
上部ホルダー２４と対をなす下部ホルダー２４ａの下端に蓋体２８を介して弾発力の強いスプリング２９を装着し、タンク１の内底面３にスプリング２９を上方から押圧圧着させて前記液面計５０の下部をタンクの内底面３に圧着固定する。この上部ホルダー２４と対をなす下部ホルダー２４ａの両側に位置して前記ホルダーの掛止受部と同形に形成した掛止受部（図示せず）に、前記ガイド杆２５、２５の下部をボルトなどで固定し、該ガイド杆の上下両端を上部ホルダー及び下部ホルダーに連結して強固に構成してある。
【００２０】
軸承部２２の下端には、板状をした捻りシャフト３２の上部を割ピンやボルトナット等の止め具３１を用いて取外可能に固定し、また、この捻りシャフト３２の下端は前記下部ホルダー２７の内部に設けた孔部３０内に単に収容してある。そのため、保守点検の際に捻りシャフト３２が変形して不良状態になっている場合には、止め具３１を取外して新たな捻りシャフトに交換できる。捻りシャフト３２は、板状で長尺に形成して上端と下端との間を一回捻じって形成し、該捻りシャフトの上部は回転可能に軸承部に軸承してある。また、該捻りシャフトの下端は、下部ホルダー２４ａの中心に設けた孔部３０内に回転可能に収容されているので、この孔部によって該シャフトの下部の揺れを規制している。
【００２１】
図５、６において、フロート３５は液化石油などの液体に浮かぶ浮力を有した合成樹脂材（例えば、ＮＢＲ独立発泡体）で円筒状に形成し、中心部に前記捻りシャフト３２が挿通する円孔３６を設けてある。フロート３５の外壁両側には、前記Ｌ型をしたガイド杆２５、２５の稜線部分であるガイド部２５ａ、２５ａが該フロートに接近して平行に配置できるようにＬ型をしたガイド溝３７、３７に上下方向に移動可能に係合し、周方向に回転できないように構成してある。
【００２２】
Ｌ型をしたガイド杆２５の稜線部分である角部からなるガイド部２５ａは、それぞれ向かい合わせに配して平行に取付けてある。そのため、ガイド部２５ａとなる稜線部分には何らの加工もする必要がなく、そのままガイド装置の一部を構成する。このようにガイド機能を有するガイド部２５ａ、２５ａに、フロート３５の外側壁面に設けたガイド溝３７、３７を係合させてガイド装置を構成してある。さらに、ガイド装置の一方をなすフロート３５にはガイド溝３７を設けてあり、他方のガイド杆２５にはアングル材の稜線部分をガイド部２５ａ、２５ａとして利用できるので、加工工程の一部を省略できる利点を有している。
【００２３】
フロート３５の中心に設けた円孔３６に装着させるフロートガイド４０は、該円孔３６の上端又はその他任意の個所に取付けてもよい。例えば、該円孔３６の上部に同心円状に設けた嵌合室３６ａ内に固着させ、液面の上下方向の変位に応じてフロートが回転せずに上下動すると、該フロートに設けた該フロートガイド４０に、前記捻りシャフト３２が挿通するために設けた細巾の案内孔４１にガイドされて捻りシャフト３２は強制的に回転させられる。この捻りシャフト３２は、フロート３５がガイド杆２５に係合した状態で下端から上端までの間に最大１回転するように構成してあり、該捻りシャフトは軸承部２２と案内孔４１との２ケ所で支持されているためスムーズに回転できる。
【００２４】
次に、本実施形態の作用について説明すると、作業員が液面計５０を保持してタンク１の取付開口部２から該液面計の下部から挿入し、スプリング２９の下端がタンク１の内底面３に当接すると、その感触は作業員に伝わる。この場合、スプリング９は十分な長さを有しているので該スプリングの下端が内底面３に当接すると、取付基板５は取付開口部２の上方に持ち上げられた状態となり、図５に示した距離Ｌの相当分だけ、取付基板５は取付開口部の上方に位置する。
【００２５】
液面計の下部に設けたスプリング２９を掛止するための何らの構造物も前記内底面３に設けたりする必要がなく、単にスプリングを下方に押圧圧着させて固定するため固定作業は容易である。距離Ｌは、タンクの全長より多少長くなるようにした寸法を示すもので、該スプリングの下端が内底面３に当接すると、前記取付基板５は取付開口部２の上面から上方に持ち上げられた状態になる。
【００２６】
この持ち上がった状態でタンク１の取付開口部内に挿入した液面計を略垂直に調整した後、該取付基板５を下方に押圧してスプリングを距離Ｌの長さ分を下方に押圧圧着させ、その状態で該取付基板５の取付穴６にボルトを螺合して該液面計の上下部をタンク１に取付けて揺れを防止することができる。
【００２７】
液面計５０を取付けたタンク１の内部に、充填口（図示せず）からＬＰＧの充填を開始すると、液面の上昇に伴ってフロ−ト３５は上昇する。このフロート３５の両側にそれぞれ設けたガイド溝３７、３７に係合するガイド部２５ａ、２５ａを有したガイド杆２５、２５は平行に位置し、且つ、上部ホルダー２４と下部ホルダー２７との間に取付けてあるためフロート３５は回転せずに上昇する。
【００２８】
ガイド杆２５の中間に位置し、且つ、フロート３５の円孔３６内に挿通する捻りシャフト３２の上部は、上部ホルダー２４に設けた連結筒部２０に回転可能に軸承された軸承部２２に連結している。また、捻りシャフトはフロート３５の円孔に設けたフロートガイド４０の案内孔４１に挿通しているため、ガイド杆２５、２５に案内されて回転せずに上下に移動するフロート３５に設けたフロートガイドの案内孔４１によって前記捻りシャフト３２が回転する。このフロートガイド４０は、アルミ部材に限らず、摩擦抵抗の少ない合成樹脂材でもよい。
【００２９】
捻りシャフト３２が回転すると、該シャフトの上端に設けたマグネット２３も一体に回転し、該マグネットの磁力により前凹入部８内に装着した回転体１０も追従回転し、該回転体に設けた支持軸１１に軸着した指針１６は、目盛板１２の目盛りを指し示してタンク内のＬＰＧの充填量を表示する。このＬＰＧを消費することにより充填量が減ると、前記と逆に作動して指針が逆方向に回動して残量が減ったことがわかる。
【００３０】
前記ガイド杆２５は、パイプでなくＬ型をしたアングル材で形成してあるため重量が軽くて剛性を有して強度を有するため、液面計を装着させたタンクの輸送中に加わる外力によってガイド杆が折れ曲がったり捩れたりするのを防いで故障を防止する。また、ガイド杆は１本ではなく２本で対をなして上下部ホルダーの間に連結して強度を有しているため、該ガイド杆によってガイドされるフロ−ト３５はスムーズに上下動することができる。
【００３１】
【発明の効果】
以上のように本発明によれば、液面計の下部に設けたスプリングをタンクの内底面に押圧圧着させて固定することにより液面計の揺れなどを防止して輸送中に生じる故障を防いで正確な液位を表示できる。また、タンク内底面には何らの構造物の加工や部品を必要としないので作業性が向上してコストダウンを図ることができる。さらに、上部ホルダーと下部ホルダーとの間にアルミのアングル材からなる対をなして取付けたガイド杆は、パイプに比べて剛性を有し、その上、アングル材の角部をそのままガイドに利用できるためわざわざガイド部を形成する必要がなく、作業工程を減少させることができる。さらにまた、表示部に連動して回転可能な捻りシャフトの上端を前記上部ホルダーに設けた連結筒部に回転可能に軸承させた軸承部に止め具で取外可能に取付けてあるので、該シャフトを簡単に交換できて保守点検が容易である。
【図面の簡単な説明】
【図１】本発明にかかる実施形態の液面計をタンクに装着させた状態を示す断面図である。
【図２】タンクの取付開口部に取付けた液面計の上部を示す一部拡大断面図である。
【図３】液面計の表示部を示す平面図である。
【図４】図２のＡ−Ａ線方向断面図である。
【図５】液面計の下部を示す一部拡大正面図である。
【図６】図５のＢ−Ｂ線方向の断面図である。
【図７】フロートガイドを取付けたフロートの縦断面図である。
【図８】図７のＣ矢視方向の案内孔とガイド杆との係合関係を示す説明図である。
【図９】図７のＤ−Ｄ線方向断面図である。
【符号の説明】
１　　タンク
２　　取付開口部
３　　内底面
５　　取付基板
７　　収容室
１６　　指針
１９　　表示部
２０　　連結筒部
２２　　軸承部
２３　　マグネット
２４　　上部ホルダー
２４ａ　下部ホルダー
２５　　ガイド杆
２５ａ　ガイド部
２６　　掛止受部
２９　　スプリング
３０　　孔部
３１　　止め具
３２　　捻りシャフト
３５　　フロート
３６　　円孔
３７　　ガイド溝
４０　　フロートガイド
４１　　案内孔
５０　　液面計
【図１】
2004132502.tif 000003
【図２】
2004132502.tif 000004
【図３】
2004132502.tif 000005
【図４】
2004132502.tif 000006
【図５】
2004132502.tif 000007
【図６】
2004132502.tif 000008
【図７】
2004132502.tif 000009
【図８】
2004132502.tif 000010
【図９】
2004132502.tif 000011